(57)【要約】【課題】一体成形されたものであり、品物を安定に支持でき、折畳んで身の回りに携帯することができ、作製作業が簡易であり、作製コストが低い支持枠を提供する。【解決手段】品物を傾斜に支持して卓面に立てるものであり、中央折れ線を有し、前記中央折れ線により左支持板と右支持板が連接され、前記左右支持板は、三角形を呈し、底辺と、斜辺と、を有し、前記底辺と前記斜辺の連接箇所では、前記斜辺へ湾折されたフック部が成形される支持枠において、前記二つの底辺は、ある開角を有し、卓面と接触し、前記二つの斜辺と前記二つのフック部とは前記品物を支持する。【選択図】図４
0003169420.tif 000002
【実用新案登録請求の範囲】
【請求項１】
品物を傾斜に支持して卓面に立てるものであり、中央折れ線を有し、前記中央折れ線により左支持板と右支持板が連接され、前記左右支持板は、三角形を呈し、底辺と、斜辺と、を有し、前記底辺と前記斜辺の連接箇所では、前記斜辺へ湾折されたフック部が成形される支持枠において、
前記二つの底辺は、ある開角を有し、卓面と接触し、
前記二つの斜辺と前記二つのフック部とは前記品物を支持することを特徴とする支持枠。
【請求項２】
前記支持枠は、樹脂又はゴムで一体射出成形されたものであり、前記左支持板は、三角形を呈し、左底辺と、左斜辺と、を有し、前記左底辺と前記左斜辺の連接箇所では、前記左斜辺へ湾折された左フック部が成形され、前記右支持板は、三角形を呈し、右底辺と、右斜辺と、を有し、前記右底辺と前記右斜辺の連接箇所では、前記右斜辺へ湾折された右フック部が成形されることを特徴とする、請求項１に記載の支持枠。
【請求項３】
前記支持枠は、前記左底辺と前記右底辺がある開角を有し、卓面に立てることができ、前記左斜辺、前記右斜辺、前記左フック部及び前記右フック部により、前記品物を支持可能であることを特徴とする、請求項２に記載の支持枠。
【請求項４】
前記左支持板と前記右支持板の間に折畳手段が設けられ、前記折畳手段は、前記左支持板に設けられる凹部と、前記右支持板に設けられて前記凹部と係合する凸部と、を含み、前記右支持板の前記凸部が前記左支持板の前記凹部と係合するときには、前記支持枠を折畳んで収納できることを特徴とする、請求項３に記載の支持枠。
【請求項５】
前記左底辺と前記右底辺の間に第１展開幅固定手段が設けられ、前記第１展開幅固定手段は、前記左底辺から延びる左固定条と、前記右底辺から延びる右固定条と、を含み、前記左固定条の自由端に凹部が成形され、前記右固定条の自由端には、前記凹部と係合する凸部が成形されることを特徴とする、請求項４に記載の支持枠。
【請求項６】
前記左底辺と前記右底辺の間に第２展開幅固定手段が設けられ、前記第２展開幅固定手段は、前記第１展開幅固定手段の内側に位置し、前記第１展開幅固定手段よりも前記中央折れ線に近接し、前記第２展開幅固定手段による前記支持枠の展開角度は、前記第１展開幅固定手段による前記支持枠の展開角度よりも小さいことを特徴とする、請求項５に記載の支持枠。
【請求項７】
前記第２展開幅固定手段は、前記左底辺から延びる左固定片と、前記右底辺から延びる右固定片と、を含み、前記左固定片の自由端に凹部が設けられ、前記右固定片の自由端には、前記凹部と係合する凸部が設けられることを特徴とする、請求項６に記載の支持枠。
【請求項８】
前記第１展開幅固定手段と前記第２展開幅固定手段とは、樹脂又はゴムで作製されたものであり、前記支持枠と一体成形され、前記第１展開幅固定手段の前記左固定条と前記第２展開幅固定手段の前記左固定片とは、それぞれ前記左支持板の内側に折畳むことができ、前記第１展開幅固定手段の前記右固定条と前記第２展開幅固定手段の前記右固定片とは、それぞれ前記右支持板の内側に折畳むこともできることを特徴とする、請求項７に記載の支持枠。
【考案の詳細な説明】
【技術分野】
【０００１】
本考案は、一体成形された支持枠に関し、特に、薄型電子装置や本などを傾斜に支持できる支持枠に関するものである。
【背景技術】
【０００２】
科学技術の高速な進展に従って、多くの薄型電子装置が開発され、例えば携帯電話、デジタルカメラ、ＰＤＡ（Ｐｅｒｓｏｎａｌ  Ｄｉｇｉｔ  Ａｓｓｉｓｔａｎｔ）、タッチコントロール式携帯電話や電子ブックなどが次々と開発されて市販するようになった。これらの薄型電子装置が卓面などに置かれているときには、薄型電子装置のスクリーンを容易に見ることができるために、支持枠に薄型電子装置を置くことがある。
【０００３】
しかし、従来の支持枠は、構成が複雑であり、連接ロッド及び支持脚が多数あり、一体成形されたものが全くない。一部の従来の支持枠は、卓面などに置くことができるが、折畳んで身の回りに携帯することができない。一部の従来の支持枠は、枢軸によって折畳むことができるが、全体の体積及び厚さは大きいため、身の回りに携帯することが困難である。
【考案の概要】
【考案が解決しようとする課題】
【０００４】
本考案の主な目的は、一体成形されたものであり、品物を安定に支持でき、折畳んで身の回りに携帯することができ、作製作業が簡易であり、作製コストが低い支持枠を提供することにある。
【課題を解決するための手段】
【０００５】
本考案の支持枠によると、品物を傾斜に支持して卓面に立てるものであり、中央折れ線を有し、前記中央折れ線により左支持板と右支持板が連接され、前記左右支持板は、三角形を呈し、底辺と、斜辺と、を有し、前記底辺と前記斜辺の連接箇所では、前記斜辺へ湾折されたフック部が成形される支持枠において、
前記二つの底辺は、ある開角を有し、卓面と接触し、
前記二つの斜辺と前記二つのフック部とは前記品物を支持することを特徴とする。
【０００６】
本考案の支持枠によると、前記支持枠は、樹脂又はゴムで一体射出成形されたものであり、前記左支持板は、三角形を呈し、左底辺と、左斜辺と、を有し、前記左底辺と前記左斜辺の連接箇所では、前記左斜辺へ湾折された左フック部が成形され、前記右支持板は、三角形を呈し、右底辺と、右斜辺と、を有し、前記右底辺と前記右斜辺の連接箇所では、前記右斜辺へ湾折された右フック部が成形されることを特徴とする。
【０００７】
本考案の支持枠によると、前記支持枠は、前記左底辺と前記右底辺がある開角を有し、卓面に立てることができ、前記左斜辺、前記右斜辺、前記左フック部及び前記右フック部により、前記品物を支持可能であることを特徴とする。
【０００８】
本考案の支持枠によると、前記左支持板と前記右支持板の間に折畳手段が設けられ、前記折畳手段は、前記左支持板に設けられる凹部と、前記右支持板に設けられて前記凹部と係合する凸部と、を含み、前記右支持板の前記凸部が前記左支持板の前記凹部と係合するときには、前記支持枠を折畳んで収納できることを特徴とする。
【０００９】
本考案の支持枠によると、前記左底辺と前記右底辺の間に第１展開幅固定手段が設けられ、前記第１展開幅固定手段は、前記左底辺から延びる左固定条と、前記右底辺から延びる右固定条と、を含み、前記左固定条の自由端に凹部が成形され、前記右固定条の自由端には、前記凹部と係合する凸部が成形されることを特徴とする。
【００１０】
本考案の支持枠によると、前記左底辺と前記右底辺の間に第２展開幅固定手段が設けられ、前記第２展開幅固定手段は、前記第１展開幅固定手段の内側に位置し、前記第１展開幅固定手段よりも前記中央折れ線に近接し、前記第２展開幅固定手段による前記支持枠の展開角度は、前記第１展開幅固定手段による前記支持枠の展開角度よりも小さいことを特徴とする。
【００１１】
本考案の支持枠によると、前記第２展開幅固定手段は、前記左底辺から延びる左固定片と、前記右底辺から延びる右固定片と、を含み、前記左固定片の自由端に凹部が設けられ、前記右固定片の自由端には、前記凹部と係合する凸部が設けられることを特徴とする。
【００１２】
本考案の支持枠によると、前記第１展開幅固定手段と前記第２展開幅固定手段とは、樹脂又はゴムで作製されたものであり、前記支持枠と一体成形され、前記第１展開幅固定手段の前記左固定条と前記第２展開幅固定手段の前記左固定片とは、それぞれ前記左支持板の内側に折畳むことができ、前記第１展開幅固定手段の前記右固定条と前記第２展開幅固定手段の前記右固定片とは、それぞれ前記右支持板の内側に折畳むこともできることを特徴とする。
【考案の効果】
【００１３】
本考案の支持枠によれば、次のような効果がある。
（１）一体成形されたものであるため、構成が極めて簡単であり、従来技術の連接ロッド、支持脚又は枢軸などの部品を使用せず、そして樹脂又はゴムなどの材料で一体成形することができるため、作製作業が容易であり、作製コストが低く、軽薄短小の要請に満足できる。
（２）互いに連接する二つの支持板は、ある開角を有し、品物を傾斜に支持することができる。なお、本考案の支持枠を利用しないときには、二つの支持板を折畳むことができ、収納スペースを減少することができ、携帯性が良くて重量が極めて軽いため、任意の処に携帯して利用することができる。
（３）二つの支持板の底辺の開角を調整することにより、支持枠の品物を支持する傾斜度及び二つの支持板の展開幅を変化することができる。
【図面の簡単な説明】
【００１４】
【図１】本考案の支持枠がある角度に展開された状態を示す斜視図である。
【図２】本考案の支持枠が別の角度に展開された状態を示す斜視図である。
【図３】本考案の支持枠が折畳まれた状態を示す斜視図である。
【図４】本考案の支持枠が第１展開位置に位置している状態を示す斜視図である。
【図５】本考案の支持枠が第２展開位置に位置している状態を示す斜視図である。
【図６】本考案の支持枠によって品物を支持する作業を示す模式図である。
【考案を実施するための形態】
【００１５】
以下、本考案の実施の形態を図面に基づいて説明する。
まず、図１乃至図３を参照する。本考案の支持枠１は、図６に示すように、卓面など（図示せず）の上で品物１００を傾斜に支持できる。
【００１６】
支持枠１は、樹脂又はゴムを一体射出成形して作製されたものであり、その中央に中央折れ線１０が形成され、中央折れ線１０の左右側には、左支持板１１と右支持板１２とがそれぞれ設けられる。下記の説明において、支持枠１の左右方向は、図２の視点から見た状態によって定義する。
【００１７】
左支持板１１は、三角形を呈し、左底辺１１１と、左斜辺１１２と、を有する。左底辺１１１と左斜辺１１２の連接箇所では、左斜辺１１２へ湾折する左フック部１１３が設けられる。右支持板１２は、三角形を呈し、右底辺１２１と、右斜辺１２２と、を有する。右底辺１２１と右斜辺１２２の連接箇所では、右斜辺１２２へ湾折する右フック部１２３が設けられる。
【００１８】
図２に示すように、支持枠１は、左底辺１１１と右底辺１２１がある開角を有することにより、卓面などに立てることができ、そして左斜辺１１２、右斜辺１２２、左フック部１１３及び右フック部１２３により、図６に示すように、品物１００が支持される。
【００１９】
一方、左支持板１１と右支持板１２の間に折畳手段２０が設けられる。具体的には、折畳手段２０は、左支持板１１に設けられる凹部２１と、右支持板１２に設けられて凹部２１と係合する凸部２２と、を含む。右支持板１２の凸部２２が左支持板１１の凹部２１と係合するときには、図３に示すように、支持枠１を折畳んで収納することができる。そうすると、折畳まれた体積が極めて小さいため、任意の処に携帯して利用することができる。もちろん、左支持板１１に凸部２２を設けて右支持板１２に凹部２１を設けてもよい。
【００２０】
図４を参照する。図４は本考案の支持枠が第１展開位置に位置している状態を示す斜視図である。支持枠１の展開幅を固定することにより、品物１００を支持する安定度を増加するために、左支持板１１の左底辺１１１と右支持板１２の右底辺１２１の間に第１展開幅固定手段３０が設けられる。具体的には、第１展開幅固定手段３０は、左底辺１１１から延びる左固定条３１と、右底辺１２１から延びる右固定条３２と、を含み、左固定条３１の自由端に凹部３１１が成形され、右固定条３２の自由端には、凹部３１１と係合する凸部３２１が成形される。左固定条３１の凹部３１１に右固定条３２の凸部３２１を嵌め込むと、支持枠１全体が第１展開位置に固定される。もちろん、左固定条３１に凸部３２１を設けて右固定条３２に凹部３１１を設けてもよい。
【００２１】
図５を参照する。図５は本考案の支持枠が第２展開位置に位置している状態を示す斜視図である。左支持板１１の左底辺１１１と右支持板１２の右底辺１２１の間に第２展開幅固定手段４０が設けられる。具体的には、第２展開幅固定手段４０は、第１展開幅固定手段３０の内側に位置し、第１展開幅固定手段３０よりも中央折れ線１０に近接し、これにより、第２展開幅固定手段４０による支持枠１の展開角度は、第１展開幅固定手段３０による支持枠１の展開角度よりも小さい。このように、本考案の支持枠１は、幅がより狭い品物１００を支持することもできる。具体的には、第２展開幅固定手段４０は、左底辺１１１から延びる左固定片４１と、右底辺１２１から延びる右固定片４２と、を含み、左固定片４１の自由端に凹部４１１が設けられ、右固定片４２の自由端には、凹部４１１と係合する凸部４２１が設けられる。左固定片４１の凹部４１１に右固定片４２の凸部４２１を嵌め込むと、支持枠１全体が第２展開位置に固定される。このとき、第１展開幅固定手段３０の左固定条３１及び右固定条３２は、互いに係合することができず、左支持板１１と右支持板１２の間に交差する。もちろん、左固定片４１に凸部４２１を設けて右固定片４２に凹部４１１を設けてもよい。
【００２２】
特に、支持枠１を図３に示すように折畳みたいときに、第１展開幅固定手段３０と第２展開幅固定手段４０とは、樹脂又はゴムで作製されたものであり、支持枠１と一体成形されるため、第１展開幅固定手段３０の左固定条３１と第２展開幅固定手段４０の左固定片４１とを事前に左支持板１１の内側に折畳むことができ、そして第１展開幅固定手段３０の右固定条３２と第２展開幅固定手段４０の右固定片４２とを事前に右支持板１２の内側に折畳むこともできるため、支持枠１を最小の体積に折畳むことができる。この点について図面で明確に示さないが、当該技術分野の技術者は容易に理解できる筈である。
【００２３】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２４】
本考案は、支持枠に適用することができる。
【符号の説明】
【００２５】
１            支持枠
１０            中央折れ線
１１            左支持板
１２            右支持板
２０            折畳手段
２１            凹部
２２            凸部
３０            第１展開幅固定手段
３１            左固定条
３２            右固定条
４０            第２展開幅固定手段
４１            左固定片
４２            右固定片
１００            品物
１１１            左底辺
１１２            左斜辺
１１３            左フック部
１２１            右底辺
１２２            右斜辺
１２３            右フック部
３１１            凹部
３２１            凸部
４１１            凹部
４２１            凸部
【図１】
0003169420.tif 000003
【図２】
0003169420.tif 000004
【図３】
0003169420.tif 000005
【図４】
0003169420.tif 000006
【図５】
0003169420.tif 000007
【図６】
0003169420.tif 000008